(57)【特許請求の範囲】
【請求項１】
省電力状態におけるデータの受信に基づいて当該省電力状態から復帰する印刷装置にデータを送信する画像処理装置であって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置において、
ネットワーク上の外部装置と通信する第１の通信手段と、
前記印刷装置と通信する第２の通信手段と、
前記画像処理装置が省電力状態であるときに前記第１の通信手段が前記外部装置から受信したデータが第１の種別のデータである場合、前記省電力状態を維持したまま前記受信したデータに応答する応答手段と、
前記画像処理装置が省電力状態であるときに前記第１の通信手段が前記外部装置から受信したデータが第２の種別のデータである場合、前記画像処理装置を前記省電力状態から復帰させる復帰手段とを備え、
前記画像処理装置は、前記画像処理装置が省電力状態であるときに前記第１の通信手段が前記外部装置から受信したデータが前記第２の種別のデータである場合、前記復帰手段によって前記省電力状態から復帰してから、前記省電力状態のときに当該外部装置から受信した当該データを前記第２の通信手段を介して前記印刷装置に送信することを特徴とする画像処理装置。
【請求項２】
前記画像処理装置が省電力状態であるときに前記第１の通信手段が前記外部装置から受信したデータが第３の種別のデータである場合、前記復帰手段は、前記画像処理装置を前記省電力状態から復帰させ、
前記画像処理装置は、前記画像処理装置が省電力状態であるときに前記第１の通信手段が前記外部装置から受信したデータが前記第３の種別のデータである場合、前記復帰手段によって前記省電力状態から復帰してから、前記省電力状態のときに当該外部装置から受信したデータを処理することを特徴とする請求項１記載の画像処理装置。
【請求項３】
前記画像処理装置が省電力状態であるときに前記第１の通信手段が前記外部装置から受信したデータが前記第３の種別のデータである場合、前記受信したデータの処理が終了したことに応じて、前記画像処理装置は、前記省電力状態に遷移することを特徴とする請求項２記載の画像処理装置。
【請求項４】
前記画像処理装置は、前記画像処理装置が省電力状態であるときに前記第１の通信手段が前記外部装置から受信したデータが前記第２の種別のデータである場合、前記復帰手段によって前記省電力状態から復帰してから、前記省電力状態のときに当該外部装置から受信した当該データを、前記印刷装置が省電力状態であるか否かに関わらず、前記第２の通信手段を介して前記印刷装置に送信することを特徴とする請求項１乃至３のいずれか１項に記載の画像処理装置。
【請求項５】
省電力状態におけるデータの受信に基づいて当該省電力状態から復帰する印刷装置にデータを送信する画像処理装置であって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置において、
ネットワーク上の外部装置と通信する第１の通信手段と、
前記印刷装置と通信する第２の通信手段と、
前記画像処理装置が省電力状態であり、かつ、前記第１の通信手段が受信したデータが第１の種別のデータである場合、前記省電力状態を維持したまま前記受信したデータに応答する応答手段と、
前記画像処理装置が省電力状態であるときに前記第１の通信手段が前記外部装置から受信したデータが第２の種別のデータである場合、又は、前記画像処理装置が省電力状態であるときに前記第１の通信手段が前記外部装置から受信したデータが第３の種別のデータである場合、前記画像処理装置を前記省電力状態から復帰させる復帰手段とを備え、
前記画像処理装置は、前記画像処理装置が省電力状態であるときに前記第１の通信手段が前記外部装置から受信したデータが前記第２の種別のデータである場合、前記復帰手段によって前記省電力状態から復帰してから、前記画像処理装置と前記印刷装置との間の通信速度を高速に変更した上で、前記省電力状態のときに当該外部装置から受信した当該データを前記第２の通信手段を介して前記印刷装置に送信し、
前記画像処理装置が省電力状態であるときに前記第１の通信手段が前記外部装置から受信したデータが前記第３の種別のデータである場合、前記復帰手段によって前記省電力状態から復帰してから、前記画像処理装置と前記印刷装置との間の通信速度を変更することなく、前記省電力状態のときに当該外部装置から受信した当該データを前記第２の通信手段を介して前記印刷装置に送信することを特徴とする画像処理装置。
【請求項６】
前記画像処理装置が省電力状態であるときに前記第１の通信手段が前記外部装置から受信したデータが第４の種別のデータである場合、前記復帰手段は、前記画像処理装置を前記省電力状態から復帰させ、
前記画像処理装置は、前記画像処理装置が省電力状態であるときに前記第１の通信手段が前記外部装置から受信したデータが前記第４の種別のデータである場合、前記復帰手段によって前記省電力状態から復帰してから、前記省電力状態のときに当該外部装置から受信したデータを処理することを特徴とする請求項５記載の画像処理装置。
【請求項７】
前記画像処理装置が省電力状態であるときに前記第１の通信手段が前記外部装置から受信したデータが前記第４の種別のデータである場合、前記受信したデータの処理が終了したことに応じて、前記画像処理装置は、前記省電力状態に遷移することを特徴とする請求項６記載の画像処理装置。
【請求項８】
前記画像処理装置は、前記画像処理装置が省電力状態であるときに前記第１の通信手段が前記外部装置から受信したデータが前記第２の種別のデータである場合、前記復帰手段によって前記省電力状態から復帰してから、前記画像処理装置と前記印刷装置との間の通信速度を高速に変更した上で、前記省電力状態のときに当該外部装置から受信した当該データを、前記印刷装置が省電力状態であるか否かに関わらず、前記第２の通信手段を介して前記印刷装置に送信し、
前記画像処理装置が省電力状態であるときに前記第１の通信手段が前記外部装置から受信したデータが前記第３の種別のデータである場合、前記復帰手段によって前記省電力状態から復帰してから、前記画像処理装置と前記印刷装置との間の通信速度を変更することなく、前記省電力状態のときに当該外部装置から受信した当該データを、前記印刷装置が省電力状態であるか否かに関わらず、前記第２の通信手段を介して前記印刷装置に送信することを特徴とする請求項５乃至７のいずれか１項に記載の画像処理装置。
【請求項９】
省電力状態におけるデータの受信に基づいて当該省電力状態から復帰する印刷装置にデータを送信する画像処理装置の制御方法であって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置の制御方法において、
ネットワーク上の外部装置と通信する第１の通信ステップと、
前記印刷装置と通信する第２の通信ステップと、
前記画像処理装置が省電力状態であるときに前記第１の通信ステップにおいて前記外部装置から受信したデータが第１の種別のデータである場合、前記省電力状態を維持したまま前記受信したデータに応答する応答ステップと、
前記画像処理装置が省電力状態であるときに前記第１の通信ステップにおいて前記外部装置から受信したデータが第２の種別のデータである場合、前記画像処理装置を前記省電力状態から復帰させる復帰ステップとを有し、
前記画像処理装置は、前記画像処理装置が省電力状態であるときに前記第１の通信ステップにおいて前記外部装置から受信したデータが前記第２の種別のデータである場合、前記復帰ステップにおいて前記省電力状態から復帰してから、前記省電力状態のときに当該外部装置から受信した当該データを前記第２の通信ステップにおいて前記印刷装置に送信することを特徴とする画像処理装置の制御方法。
【請求項１０】
省電力状態におけるデータの受信に基づいて当該省電力状態から復帰する印刷装置にデータを送信する画像処理装置の制御方法であって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置の制御方法において、
ネットワーク上の外部装置と通信する第１の通信ステップと、
前記印刷装置と通信する第２の通信ステップと、
前記画像処理装置が省電力状態であるときに前記第１の通信ステップにおいて前記外部装置から受信したデータが第１の種別のデータである場合、前記省電力状態を維持したまま前記受信したデータに応答する応答ステップと、
前記画像処理装置が省電力状態であるときに前記第１の通信ステップにおいて前記外部装置から受信したデータが第２の種別のデータである場合、又は、前記画像処理装置が省電力状態であるときに前記第１の通信ステップにおいて前記外部装置から受信したデータが第３の種別のデータである場合、前記画像処理装置を前記省電力状態から復帰させる復帰ステップとを有し、
前記画像処理装置は、前記画像処理装置が省電力状態であるときに前記第１の通信ステップにおいて前記外部装置から受信したデータが前記第２の種別のデータである場合、前記復帰ステップにおいて前記省電力状態から復帰してから、前記画像処理装置と前記印刷装置との間の通信速度を高速に変更した上で、前記省電力状態のときに当該外部装置から受信した当該データを前記第２の通信ステップにおいて前記印刷装置に送信し、
前記画像処理装置が省電力状態であるときに前記第１の通信ステップにおいて前記外部装置から受信したデータが前記第３の種別のデータである場合、前記復帰ステップにおいて前記省電力状態から復帰してから、前記画像処理装置と前記印刷装置との間の通信速度を変更することなく、前記省電力状態のときに当該外部装置から受信したデータを前記第２の通信ステップにおいて前記印刷装置に送信することを特徴とする画像処理装置の制御方法。
【請求項１１】
省電力状態におけるデータの受信に基づいて当該省電力状態から復帰する印刷装置にデータを送信する画像処理装置の制御方法をコンピュータに実行させるプログラムであって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置の制御方法をコンピュータに実行させるプログラムにおいて、
前記画像処理装置の制御方法は、
ネットワーク上の外部装置と通信する第１の通信ステップと、
前記印刷装置と通信する第２の通信ステップと、
前記画像処理装置が省電力状態であるときに前記第１の通信ステップにおいて前記外部装置から受信したデータが第１の種別のデータである場合、前記省電力状態を維持したまま前記受信したデータに応答する応答ステップと、
前記画像処理装置が省電力状態であるときに前記第１の通信ステップにおいて前記外部装置から受信したデータが第２の種別のデータである場合、前記画像処理装置を前記省電力状態から復帰させる復帰ステップとを有し、
前記画像処理装置は、前記画像処理装置が省電力状態であるときに前記第１の通信ステップにおいて前記外部装置から受信したデータが前記第２の種別のデータである場合、前記復帰ステップにおいて前記省電力状態から復帰してから、前記省電力状態のときに当該外部装置から受信した当該データを前記第２の通信ステップにおいて前記印刷装置に送信することを特徴とするプログラム。
【請求項１２】
省電力状態におけるデータの受信に基づいて当該省電力状態から復帰する印刷装置にデータを送信する画像処理装置の制御方法をコンピュータに実行させるプログラムであって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置の制御方法をコンピュータに実行させるプログラムにおいて、
前記画像処理装置の制御方法は、
ネットワーク上の外部装置と通信する第１の通信ステップと、
前記印刷装置と通信する第２の通信ステップと、
前記画像処理装置が省電力状態であるときに前記第１の通信ステップにおいて前記外部装置から受信したデータが第１の種別のデータである場合、前記省電力状態を維持したまま前記受信したデータに応答する応答ステップと、
前記画像処理装置が省電力状態であるときに前記第１の通信ステップにおいて前記外部装置から受信したデータが第２の種別のデータである場合、又は、前記画像処理装置が省電力状態であるときに前記第１の通信ステップにおいて前記外部装置から受信したデータが第３の種別のデータである場合、前記画像処理装置を前記省電力状態から復帰させる復帰ステップとを有し、
前記画像処理装置は、前記画像処理装置が省電力状態であるときに前記第１の通信ステップにおいて前記外部装置から受信したデータが前記第２の種別のデータである場合、前記復帰ステップにおいて前記省電力状態から復帰してから、前記画像処理装置と前記印刷装置との間の通信速度を高速に変更した上で、前記省電力状態のときに当該外部装置から受信した当該データを前記第２の通信ステップにおいて前記印刷装置に送信し、
前記画像処理装置が省電力状態であるときに前記第１の通信ステップにおいて前記外部装置から受信したデータが前記第３の種別のデータである場合、前記復帰ステップにおいて前記省電力状態から復帰してから、前記画像処理装置と前記印刷装置との間の通信速度を変更することなく、前記省電力状態のときに当該外部装置から受信した当該データを前記第２の通信ステップにおいて前記印刷装置に送信することを特徴とするプログラム。
【請求項１３】
画像処理装置の電力状態を切り替えるためにユーザーによって操作されるスイッチを備える前記画像処理装置、及び印刷装置の電力状態を切り替えるためにユーザーによって操作されるスイッチを備える前記印刷装置を含む画像処理システムであって、
前記画像処理装置は、
ネットワーク上の外部装置と通信する第１の通信手段と、
前記印刷装置と通信する第２の通信手段と、
前記画像処理装置が省電力状態であるときに前記第１の通信手段が前記外部装置から受信したデータが第１の種別のデータである場合、前記省電力状態を維持したまま前記受信したデータに応答する応答手段と、
前記画像処理装置が省電力状態であるときに前記第１の通信手段が前記外部装置から受信したデータが第２の種別のデータである場合、前記画像処理装置を前記省電力状態から復帰させる復帰手段とを備え、
前記画像処理装置は、前記画像処理装置が省電力状態であるときに前記第１の通信手段が前記外部装置から受信したデータが前記第２の種別のデータである場合、前記復帰手段によって前記省電力状態から復帰してから、前記省電力状態のときに当該外部装置から受信した当該データを前記第２の通信手段を介して前記印刷装置に送信し、
前記印刷装置は、
前記印刷装置が少なくとも省電力状態であるときに前記画像処理装置からデータを受信する受信手段と、
前記印刷装置が省電力状態であるときに前記画像処理装置から受信したデータの種別に基づいて、前記印刷装置を前記省電力状態から復帰させる他の復帰手段と、
を有することを特徴とする画像処理システム。
【請求項１４】
前記画像処理装置が省電力状態であるときに前記第１の通信手段が前記外部装置から受信したデータが第３の種別のデータである場合、前記復帰手段は、前記画像処理装置を前記省電力状態から復帰させ、
前記画像処理装置は、前記画像処理装置が省電力状態であるときに前記第１の通信手段が前記外部装置から受信したデータが前記第３の種別のデータである場合、前記復帰手段によって前記省電力状態から復帰してから、前記省電力状態のときに当該外部装置から受信したデータを処理することを特徴とする請求項１３記載の画像処理システム。
【請求項１５】
前記画像処理装置が省電力状態であるときに前記第１の通信手段が前記外部装置から受信したデータが前記第３の種別のデータである場合、前記受信したデータの処理が終了したことに応じて、前記画像処理装置は、前記省電力状態に遷移することを特徴とする請求項１４記載の画像処理システム。
【発明の詳細な説明】
【技術分野】
【０００１】
本発明は、画像処理装置及びその制御方法、プログラム、並びに画像処理システムに関する。
【背景技術】
【０００２】
近年の情報処理装置は省電力機能を有し、例えば、情報処理装置が有する全部の構成要素に電力が供給された状態（以下、「通常状態」という）及び情報処理装置が有する全部又は一部の構成要素に電力が供給されない状態（以下、「省電力状態」という）の２つの電力状態を互いに切り替えることにより、情報処理装置の消費電力を抑制している。具体的には、通常状態の情報処理装置に対して、例えば、一定の時間が経過しても何も操作されないとき、情報処理装置の電力状態は通常状態から省電力状態に切り替わり、省電力状態の情報処理装置が印刷データを受信したとき、情報処理装置の電力状態は省電力状態から通常状態に切り替わる。
【０００３】
上述した省電力機能を有する情報処理装置の一例として、画像処理部及び画像出力部を備え、画像処理部及び画像出力部には共通の電源から電力が供給される情報処理装置が知られている（例えば、特許文献１参照）。特許文献１の情報処理装置では、受信した印刷データに、画像処理部及び画像出力部に電力を供給する共通の電源を制御するための制御指示が含まれ、省電力状態から通常状態に切り替わるときは共通の電源が当該制御指示に基づいて制御されている。
【０００４】
ところで、消費電力の抑制効果をより向上させるために、画像処理部及び画像出力部の夫々に対応する２つの電源を設け、各電源からの電力の供給を制御することによって画像処理部及び画像出力部の夫々について個別に省電力状態及び通常状態を切り替えることが検討されている。
【先行技術文献】
【特許文献】
【０００５】
【特許文献１】特開２００５−１９６７４１号公報
【発明の概要】
【発明が解決しようとする課題】
【０００６】
しかしながら、特許文献１の情報処理装置の制御指示は１つの電源を制御することにより、情報処理装置の通常状態及び省電力状態を互いに切り替えることを前提としている。したがって、画像処理部及び画像出力部の夫々に対応する２つの電源から電力が供給されるときに特許文献１の情報処理装置の制御指示を用いても、当該制御指示に基づいて上記２つの電源を個別に制御することができない。その結果、画像処理部及び画像出力部に夫々異なる電源から適切に電力を供給できない場合がある。
【０００７】
本発明の目的は、制御指示を用いることなく、画像処理部（データ取得部）及び画像出力部（データ処理部）に夫々異なる電源から適切に電力を供給できる画像処理装置及びその制御方法、プログラム、並びに画像処理システムを提供することにある。
【課題を解決するための手段】
【０００８】
上記目的を達成するために、本発明の画像処理装置は、省電力状態におけるデータの受信に基づいて当該省電力状態から復帰する印刷装置にデータを送信する画像処理装置であって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置において、ネットワーク上の外部装置と通信する第１の通信手段と、前記印刷装置と通信する第２の通信手段と、前記画像処理装置が省電力状態であるときに前記第１の通信手段が前記外部装置から受信したデータが第１の種別のデータである場合、前記省電力状態を維持したまま前記受信したデータに応答する応答手段と、前記画像処理装置が省電力状態であるときに前記第１の通信手段が前記外部装置から受信したデータが第２の種別のデータである場合、前記画像処理装置を前記省電力状態から復帰させる復帰手段とを備え、前記画像処理装置は、前記画像処理装置が省電力状態であるときに前記第１の通信手段が前記外部装置から受信したデータが前記第２の種別のデータである場合、前記復帰手段によって前記省電力状態から復帰してから、前記省電力状態のときに当該外部装置から受信した当該データを前記第２の通信手段を介して前記印刷装置に送信することを特徴とする。また、上記目的を達成するために、本発明の画像処理装置は、省電力状態におけるデータの受信に基づいて当該省電力状態から復帰する印刷装置にデータを送信する画像処理装置であって、前記印刷装置の電力状態を切り替えるためにユーザーによって操作される前記印刷装置が備えるスイッチとは別のスイッチであって前記画像処理装置の電力状態を切り替えるためにユーザーによって操作されるスイッチを備える前記画像処理装置において、ネットワーク上の外部装置と通信する第１の通信手段と、前記印刷装置と通信する第２の通信手段と、前記画像処理装置が省電力状態であり、かつ、前記第１の通信手段が受信したデータが第１の種別のデータである場合、前記省電力状態を維持したまま前記受信したデータに応答する応答手段と、前記画像処理装置が省電力状態であるときに前記第１の通信手段が前記外部装置から受信したデータが第２の種別のデータである場合、又は、前記画像処理装置が省電力状態であるときに前記第１の通信手段が前記外部装置から受信したデータが第３の種別のデータである場合、前記画像処理装置を前記省電力状態から復帰させる復帰手段とを備え、前記画像処理装置は、前記画像処理装置が省電力状態であるときに前記第１の通信手段が前記外部装置から受信したデータが前記第２の種別のデータである場合、前記復帰手段によって前記省電力状態から復帰してから、前記画像処理装置と前記印刷装置との間の通信速度を高速に変更した上で、前記省電力状態のときに当該外部装置から受信した当該データを前記第２の通信手段を介して前記印刷装置に送信し、前記画像処理装置が省電力状態であるときに前記第１の通信手段が前記外部装置から受信したデータが前記第３の種別のデータである場合、前記復帰手段によって前記省電力状態から復帰してから、前記画像処理装置と前記印刷装置との間の通信速度を変更することなく、前記省電力状態のときに当該外部装置から受信した当該データを前記第２の通信手段を介して前記印刷装置に送信することを特徴とする。
【発明の効果】
【０００９】
本発明によれば、制御指示を用いることなく、データ取得部及びデータ処理部に夫々異なる電源から適切に電力を供給できる。
【図面の簡単な説明】
【００１０】
【図１】本発明の実施の形態に係る情報処理装置を含む情報処理システムの構成を概略的に示すブロック図である。
【図２】図１における画像処理装置及び画像出力装置の内部構成を概略的に示すブロック図である。
【図３】図２における画像処理装置の電源制御部及びその周辺構成要素の構成を概略的に示すブロック図である。
【図４】図２における画像出力装置の電源制御部及びその周辺構成要素の構成を概略的に示すブロック図である。
【図５】図２における画像処理装置又は画像出力装置の電力状態の遷移を説明するために用いられる図である。
【図６】画像処理装置のＣＰＵによって実行される第１の電力供給処理の手順を示すフローチャートである。
【図７】図６のステップＳ６１３で実行される第２の電力供給処理の手順を示すフローチャートである。
【図８】図６の第１の電力供給処理の変形例の手順を示すフローチャートである。
【図９】図２におけるＬＡＮの通信速度を設定する設定処理の手順を示すフローチャートである。
【図１０】図８の第１の電力供給処理の変形例の手順を示すフローチャートである。
【図１１】画像出力装置のＣＰＵによって実行される第３の電力供給処理の手順を示すフローチャートである。
【図１２】図１１のステップＳ１１０７又はステップＳ１１１２において送信されたデータを受信する受信処理の手順を示すフローチャートである。
【発明を実施するための形態】
【００１１】
以下、本発明の実施の形態について図面を参照しながら詳述する。
【００１２】
図１は、本発明の実施の形態に係る情報処理装置１０１を含む情報処理システム１００の構成を概略的に示すブロック図である。
【００１３】
図１の情報処理システム１００は、情報処理装置１０１及びクライアントＰＣ１４０を備え、情報処理装置１０１は画像処理装置１１０を（データ取得部）及び画像出力装置１２０（データ処理部）を有し、画像出力装置１２０はスキャナ部１２１、操作部１２２、画像出力制御部１２３、プリンタ部１２４、及びファックス部１２５を有する。画像処理装置１１０及びクライアントＰＣ１４０は互いにＬＡＮ１３０を介して接続され、画像処理装置１１０及び画像出力装置１２０はＬＡＮ１１１及びビデオケーブル１１２を介して接続されている。
【００１４】
スキャナ部１２１は原稿を読み取ると共に当該原稿に対応する画像データを取得する。操作部１２２はハードキーや操作パネルを備え、ユーザはハードキーや操作パネルを介して情報処理装置１０１に指示を入力する。なお、操作パネルは、例えば、液晶モニタを有していてもよく、当該液晶モニタには情報処理装置１０１に関する情報等が表示される。画像出力制御部１２３はスキャナ部１２１やプリンタ部１２４等の動作を制御する。プリンタ部１２４は、例えば、スキャナ部１２１によって取得された画像データを印刷する。ファックス部１２５は不図示の電話回線に接続され、当該電話回線を介して不図示の外部装置とデータの送受信を行う。
【００１５】
図２は、図１における画像処理装置１１０及び画像出力装置１２０の内部構成を概略的に示すブロック図である。
【００１６】
図２における画像処理装置１１０は、ＣＰＵ２０１、メモリ２０２、ＨＤＤ２０３、ネットワークＩ／Ｆ２０４，２０５、ビデオＩ／Ｆ２０６、及び電源制御部２０７（制御手段）を備え、これらの構成要素はシステムバス２０８を介して互いに接続されている。ＣＰＵ２０１は画像処理装置１１０の各構成要素を制御すると共にメモリ２０２やＨＤＤ２０３に格納されたプログラムを実行する。メモリ２０２はＣＰＵ２０１のワークメモリである。ＨＤＤ２０３は大容量の記憶装置であり、画像データ等を格納する。ネットワークＩ／Ｆ２０４は画像処理装置１１０及びＬＡＮ１３０を接続し、ネットワークＩ／Ｆ２０５は画像処理装置１１０及びＬＡＮ１１１を接続し、ビデオＩ／Ｆ２０６は画像処理装置１１０及びビデオケーブル１１２を接続する。電源制御部２０７は画像処理装置１１０の各構成要素に供給される電力を制御する。
【００１７】
図２における画像出力装置１２０は、スキャナ部１２１、操作部１２２、画像出力制御部１２３、プリンタ部１２４、及びファックス部１２５を備え、画像出力制御部１２３は、ＣＰＵ２１１、メモリ２１２、リーダＩ／Ｆ２１３、ネットワークＩ／Ｆ２１４、電源制御部２１５、ＨＤＤ２１６、エンジンＩ／Ｆ２１７、ファックスＩ／Ｆ２１８、及びビデオＩ／Ｆ２１９を有し、これらの構成要素はシステムバス２１０を介して互いに接続されている。
【００１８】
ＣＰＵ２１１は画像出力装置１２０の各構成要素を制御すると共にメモリ２０２やＨＤＤ２０３に格納されたプログラムを実行する。メモリ２１２はＣＰＵ２１１のワークメモリである。リーダＩ／Ｆ２１３はスキャナ部１２１及び画像出力制御部１２３を接続し、ネットワークＩ／Ｆ２１４はＬＡＮ１１１及び画像出力制御部１２３を接続する。電源制御部２１５（制御手段）は画像出力装置１２０の各構成要素に供給される電力を制御する。ＨＤＤ２１６は大容量の記憶装置であり、画像データ等を格納する。エンジンＩ／Ｆ２１７は画像出力制御部１２３及びプリンタ部１２４を接続し、ファックスＩ／Ｆ２１８は画像出力制御部１２３及びファックス部１２５を接続し、ビデオＩ／Ｆ２１９はビデオケーブル１１２及び画像出力制御部１２３を接続する。
【００１９】
図３は、図２における画像処理装置１１０の電源制御部２０７及びその周辺構成要素の構成を概略的に示すブロック図である。
【００２０】
図３の画像処理装置１１０は、ＣＰＵ２０１、メモリ２０２、ＨＤＤ２０３、ネットワークＩ／Ｆ２０４，２０５、電源制御部２０７、第１の電源部３０１、第２の電源部３０２、シーソースイッチ３０３、リレースイッチ３０４，３０５、及びＡＣ電源３０６を備える。
【００２１】
ＡＣ電源３０６にはシーソースイッチ３０３又はリレースイッチ３０４を介して第１の電源部３０１が接続されると共に、リレースイッチ３０５を介して第２の電源部３０２が接続されている。第１の電源部３０１にはメモリ２０２及びネットワークＩ／Ｆ２０４，２０５が接続され、第２の電源部３０２にはＣＰＵ２０１及びＨＤＤ２０３が接続されている。
【００２２】
第１の電源部３０１はシーソースイッチ３０３を介してＡＣ電源３０６から供給された交流の電力を、例えば、出力電圧を３．３Ｖとする直流の電力に変換する。第２の電源部３０２はシーソースイッチ３０３及びリレースイッチ３０５を介してＡＣ電源３０６から供給された交流の電力を、例えば、出力電圧を１２Ｖとする直流の電力に変換する。シーソースイッチ３０３はユーザによってオン／オフが切り替えられ、電源制御部２０７にはシーソースイッチ３０３がオンであるかオフであるかが通知される。リレースイッチ３０４，３０５は電源制御部２０７によってオン／オフが切り替えられる。
【００２３】
ユーザがシーソースイッチ３０３をオフからオンに切り替えたときは、電源制御部２０７にシーソースイッチ３０３がオンになったことが通知され、電源制御部２０７はリレースイッチ３０４，３０５のオン／オフを切り替える。リレースイッチ３０４がオンとなったときは第１の電源部３０１はメモリ２０２及びネットワークＩ／Ｆ２０４，２０５に電力を供給し、リレースイッチ３０５がオンとなったときは第２の電源部３０２はＣＰＵ２０１及びＨＤＤ２０３に電力を供給する。
【００２４】
図４は、図２における画像出力装置１２０の電源制御部２１５及びその周辺構成要素の構成を概略的に示すブロック図である。
【００２５】
図４の画像出力装置１２０は、ＣＰＵ２１１、メモリ２１２、ネットワークＩ／Ｆ２１４、電源制御部２１５、及びＨＤＤ２１６を備えると共に、第１の電源部４０１、第２の電源部４０２、シーソースイッチ４０３、リレースイッチ４０４，４０５、及びＡＣ電源４０６を備える。
【００２６】
ＡＣ電源４０６にはシーソースイッチ４０３又はリレースイッチ４０４を介して第１の電源部４０１が接続されると共に、リレースイッチ４０５を介して第２の電源部４０２が接続されている。第１の電源部４０１にはメモリ２０２及びネットワークＩ／Ｆ２０４，２０５が接続され、第２の電源部４０２にはＣＰＵ２０１及びＨＤＤ２０３が接続されている。
【００２７】
第１の電源部４０１はシーソースイッチ４０３を介してＡＣ電源４０６から供給された交流の電力を、例えば、出力電圧を３．３Ｖとする直流の電力に変換する。第２の電源部４０２はシーソースイッチ４０３及びリレースイッチ４０５を介してＡＣ電源４０６から供給された交流の電力を、例えば、出力電圧を１２Ｖとする直流の電力に変換する。シーソースイッチ４０３はユーザによってオン／オフが切り替えられ、電源制御部２０７にはシーソースイッチ４０３がオンであるかオフであるかが通知される。リレースイッチ４０４，４０５は電源制御部２０７によってオン／オフが切り替えられる。
【００２８】
ユーザがシーソースイッチ４０３をオフからオンに切り替えたときは、電源制御部２１５にシーソースイッチ４０３がオンになったことが通知され、電源制御部２１５はリレースイッチ４０４，４０５のオン／オフを切り替える。リレースイッチ４０４がオンとなったときは第１の電源部４０１はメモリ２１２及びネットワークＩ／Ｆ２１４に電力を供給し、リレースイッチ４０５がオンとなったときは第２の電源部４０２はＣＰＵ２１１及びＨＤＤ２１６に電力を供給する。
【００２９】
図３及び図４の構成では、画像処理装置１１０及び画像出力装置１２０の夫々に個別のＡＣ電源３０６，４０６が設けられ、ＡＣ電源３０６，４０６から画像処理装置１１０及び画像出力装置１２０の夫々に供給される電力を電源制御部２０７，２１５が制御する。
【００３０】
図５は、図２における画像処理装置１１０又は画像出力装置１２０の電力状態の遷移を説明するために用いられる図である。
【００３１】
図５において、画像処理装置１１０及び画像出力装置１２０は、電源オフ状態５０１、通常状態５０２、ジョブ実行状態５０３、及び省電力状態５０４のいずれか１つの電力状態をとり得る。電力状態が電源オフ状態５０１のときは画像処理装置１１０又は画像出力装置１２０を構成する全部の構成要素に電力が供給されず、電力状態が通常状態５０２のときは画像処理装置１１０又は画像出力装置１２０を構成する全部の構成要素に電力が供給される。電力状態がジョブ実行状態５０３のときは、画像処理装置１１０又は画像出力装置１２０を構成する少なくとも一部の構成要素に電力が供給される。電力状態が省電力状態５０４のときは画像処理装置１１０又は画像出力装置１２０を構成する少なくとも一部の構成要素に電力が供給されない。
【００３２】
電源オフ状態５０１の画像処理装置１１０及び画像出力装置１２０のシーソースイッチ３０３，４０３をオンにしたとき、画像処理装置１１０及び画像出力装置１２０は通常状態５０２となる。一方、通常状態５０２の画像処理装置１１０及び画像出力装置１２０のシーソースイッチ３０３，４０３をオフにしたときは、画像処理装置１１０及び画像出力装置１２０は電源オフ状態５０１となる。
【００３３】
通常状態５０２の画像処理装置１１０が、例えば、クライアントＰＣ１４０から印刷データを受信し、当該印刷データを画像出力装置１２０に送信するとき、画像処理装置１１０はジョブ実行状態５０３となる。また、通常状態５０２の画像出力装置１２０が、例えば、画像処理装置１１０から受信した印刷データを印刷するときも、画像出力装置１２０はジョブ実行状態５０３となる。
【００３４】
ジョブ実行状態５０３の画像処理装置１１０は上記印刷データを画像出力装置１２０に送信した後に通常状態５０２となる。また、ジョブ実行状態５０３の画像出力装置１２０は画像処理装置１１０から受信した当該印刷データを印刷した後に通常状態５０２となる。
【００３５】
通常状態５０２の画像処理装置１１０又は画像出力装置１２０は、例えば、ユーザが省電力状態５０４への切り替えを指示したときや一定の時間が経過しても通常状態５０２の画像処理装置１１０又は画像出力装置１２０に対して何も操作されなかったときは、省電力状態５０４となる。また、省電力状態５０４の画像処理装置１１０又は画像出力装置１２０は外部装置からデータを受信したとき、通常状態５０２となる。
【００３６】
なお、省電力状態５０４の画像処理装置１１０又は画像出力装置１２０は省電力状態５０４を維持したまま、簡単なデータ、例えば、ＡＲＰ（Address Resolution Protocol）、ＩＣＭＰ（Internet Control Message Protocol）、又はＳＮＭＰ（Simple Network Management Protocol）に対して応答する代理応答を行うことができる。
【００３７】
図６は、画像処理装置１１０のＣＰＵ２０１によって実行される第１の電力供給処理の手順を示すフローチャートである。図６の処理は、例えば、画像処理装置１１０がクライアントＰＣ１４０等の外部装置からデータを受信したときに当該データの種別に基づいて画像処理装置１１０への電力の供給を制御するために実行される。
【００３８】
図６において、ＬＡＮ１３０を介してクライアントＰＣ１４０からデータを受信し（ステップＳ６０１）、受信したデータの種別を解析し（ステップＳ６０２）、受信したデータの種別が下記第１のデータ、第２のデータ、第３のデータ、及び第４のデータのいずれかに該当するか否かを判別する（ステップＳ６０３）。データの種別は、例えば、画像処理装置１１０に電力を供給する必要がない第１のデータ、画像処理装置１１０に電力を供給する必要がある第２のデータ、画像処理装置１１０が画像出力装置１２０に送信するデータであって、画像出力装置１２０に電力を供給する必要がない第３のデータ、及び画像処理装置１１０が画像出力装置１２０に送信するデータであって、画像出力装置１２０に電力を供給する必要のある第４のデータから構成される。
【００３９】
ステップＳ６０３の判別の結果、受信したデータの種別が第１のデータ、第２のデータ、第３のデータ、及び第４のデータのいずれにも該当しないとき、ステップＳ６０１に戻る。ステップＳ６０３の判別の結果、受信したデータの種別が第１のデータのとき、画像処理装置１１０が省電力状態５０４であるか否かを判別する（ステップＳ６０４）。ステップＳ６０４の判別の結果、画像処理装置１１０が省電力状態５０４のとき、電源制御部２０７はＡＣ電源３０６から画像処理装置１１０に供給される電力を制御し、画像処理装置１１０の省電力状態５０４を維持し、画像処理装置１１０は受信したデータに代理応答する（ステップＳ６０５）。一方、画像処理装置１１０が省電力状態５０４でないとき、電源制御部２０７はＡＣ電源３０６から画像処理装置１１０に供給される電力を制御して画像処理装置１１０の通常状態５０２を維持し、画像処理装置１１０は受信したデータに応答して（ステップＳ６０６）、本処理を終了する。
【００４０】
ステップＳ６０３の判別の結果、受信したデータの種別が第２のデータ、第３のデータ、又は第４のデータのとき、画像処理装置１１０が省電力状態５０４であるか否かを判別する（ステップＳ６０７）。ステップＳ６０７の判別の結果、画像処理装置１１０が省電力状態５０４のとき、電源制御部２０７はＡＣ電源３０６から画像処理装置１１０に供給される電力を制御し、画像処理装置１１０の電力状態を省電力状態５０４から通常状態５０２に切り替えて（ステップＳ６０８）、受信したデータの種別を判別し（ステップＳ６０９）、画像処理装置１１０が省電力状態５０４でないとき、ステップＳ６０８をスキップしてステップＳ６０９に進む。
【００４１】
ステップＳ６０９の判別の結果、データの種別が第２のデータのとき、画像処理装置１１０が受信したデータの処理（以下、「データ処理」という）を実行し（ステップＳ６１０）、データ処理が終了したか否かを判別する（ステップＳ６１１）。ステップＳ６１１の判別の結果、データ処理が終了したとき、データの送信元であるクライアントＰＣ１４０にデータ処理が終了した旨を通知し（ステップＳ６１４）、電源制御部２０７はＡＣ電源３０６から画像処理装置１１０に供給される電力を制御し、画像処理装置１１０の電力状態を通常状態５０２から省電力状態５０４に切り替えて（ステップＳ６１５）、本処理を終了する。ステップＳ６１１の判別の結果、データ処理が終了していないとき、ステップＳ６１１に戻る。
【００４２】
ステップＳ６０９の判別の結果、データの種別が第３のデータ又は第４のデータであるとき、受信したデータを、ＬＡＮ１１１を介して画像出力装置１２０に送信し（ステップＳ６１２）、後述する図７の第２の電力供給処理を実行して（ステップＳ６１３）、ステップＳ６１４に進む。
【００４３】
図７は、図６のステップＳ６１３で実行される第２の電力供給処理の手順を示すフローチャートである。図７の処理は、画像出力装置１２０のＣＰＵ２１１によって実行され、画像出力装置１２０が画像処理装置１１０からデータを受信したときに受信されたデータの種別に基づいて画像出力装置１２０への電力の供給を制御するために実行される。
【００４４】
図７において、ＬＡＮ１１１を介して画像処理装置１１０からデータを受信し（ステップＳ７０１）、受信したデータの種別を解析し（ステップＳ７０２）、受信したデータの種別が第３のデータ又は第４のデータであるか否かを判別する（ステップＳ７０３）。
【００４５】
ステップＳ７０３の判別の結果、受信したデータの種別が第３のデータのとき、画像出力装置１２０が省電力状態５０４であるか否かを判別する（ステップＳ７０４）。ステップＳ７０４の判別の結果、画像出力装置１２０が省電力状態５０４のとき、電源制御部２１５はＡＣ電源４０６から画像出力装置１２０に供給される電力を制御して画像出力装置１２０の省電力状態５０４を維持し画像出力装置１２０は受信したデータに代理応答し（ステップＳ７０５）、画像出力装置１２０が省電力状態５０４でないとき、電源制御部２１５はＡＣ電源４０６から画像出力装置１２０に供給される電力を制御して画像出力装置１２０の通常状態５０２を維持し、画像出力装置１２０は受信したデータに応答して（ステップＳ７０６）、本処理を終了する。
【００４６】
ステップＳ７０３の判別の結果、受信したデータの種別が第４のデータのとき、画像出力装置１２０が省電力状態５０４であるか否かを判別する（ステップＳ７０７）。ステップＳ７０７の判別の結果、画像出力装置１２０が省電力状態５０４のとき、電源制御部２１５はＡＣ電源４０６から画像出力装置１２０に供給される電力を制御し、画像出力装置１２０の電力状態を省電力状態５０４から通常状態５０２に切り替え（ステップＳ７０８）、通常状態５０２の画像出力装置１２０がデータ処理を実行し（ステップＳ７０９）、データ処理が終了したか否かを判別する（ステップＳ７１０）。ステップＳ７１０の判別の結果、データ処理が終了していないとき、ステップＳ７１０に戻り、データ処理が終了したとき、電源制御部２１５はＡＣ電源４０６から画像出力装置１２０に供給される電力を制御し、画像出力装置１２０の電力状態を通常状態５０２から省電力状態５０４に切り替えて（ステップＳ７１１）、本処理を終了する。なお、ステップＳ７１０においてデータ処理が終了したと判別したときにデータ処理が終了した旨を画像処理装置１１０に通知してもよい。
【００４７】
図６及び図７の処理によれば、受信されたデータの種別を解析し（ステップＳ６０１〜Ｓ６０２）、受信されたデータの種別が第１のデータ、第２のデータ、第３のデータ、及び第４のデータのいずれか１つであるか否かを判別する（ステップＳ６０３）。受信されたデータの種別が第１のデータであり、且つ画像処理装置１１０が省電力状態５０４のとき、電源制御部２０７はＡＣ電源３０６から画像処理装置１１０に供給される電力を制御して画像処理装置１１０の省電力状態５０４を維持し、画像処理装置１１０が受信したデータに代理応答する（ステップＳ６０５）。
【００４８】
また、受信されたデータの種別が第２のデータのとき、電源制御部２０７はＡＣ電源３０６から画像処理装置１１０に供給される電力を制御して画像処理装置１１０の電力状態を通常状態５０２に切り替える（ステップＳ６０７〜Ｓ６１５）。
【００４９】
さらに、通常状態５０２の画像処理装置１１０から画像出力装置１２０に送信されたデータの種別が第３のデータであり、且つ画像出力装置１２０が省電力状態５０４のとき、電源制御部２１５はＡＣ電源４０６から画像出力装置１２０に供給される電力を制御して画像出力装置１２０の省電力状態５０４を維持し、画像出力装置１２０が受信したデータに代理応答する（ステップＳ６１２〜Ｓ６１３，Ｓ７０１〜Ｓ７０５）。
【００５０】
また、通常状態５０２の画像処理装置１１０から画像出力装置１２０に送信されたデータの種別が第４のデータであるとき、電源制御部２１５はＡＣ電源４０６から画像出力装置１２０に供給される電力を制御して画像出力装置１２０の電力状態を通常状態５０２に切り替え、通常状態５０２の画像出力装置１２０がデータ処理を実行する（ステップＳ６１２，Ｓ７０７〜Ｓ７１１）。
【００５１】
すなわち、取得されたデータの種別に基づいてＡＣ電源３０６，４０６からの画像処理装置１１０及び画像出力装置１２０への電力の供給が電源制御部２０７，２１５によって制御されるため、受信されたデータに含まれる制御指示を用いることなく、画像処理装置１１０及び画像出力装置１２０に夫々異なるＡＣ電源３０６，４０６から適切に電力を供給できる。
【００５２】
また、画像処理装置１１０によって受信されたデータの種別が第３のデータ又は第４のデータであるとき、受信されたデータは画像出力装置１２０に送信される（ステップＳ６０９，Ｓ６１２）。これにより、画像処理装置１１０は受信したデータを保持する必要がないため、受信したデータを画像出力装置１２０に送信した後、画像処理装置１１０は省電力状態５０４になることができ、もって情報処理装置１０１の消費電力を抑制することができる。
【００５３】
さらに、画像処理装置１１０によって受信されたデータが第１のデータであると判別された場合、画像処理装置１１０が受信したデータに代理応答する（ステップＳ６０３〜Ｓ６０５）ので、画像出力装置１２０に電力を供給してまで画像出力装置１２０が応答する必要がない第１のデータに対して画像出力装置１２０に代わって画像処理装置１１０が応答することができる。これにより、省電力状態５０４にある画像出力装置１２０に電力を供給することを回避でき、もって情報処理装置１０１の消費電力を抑制することができる。
【００５４】
また、画像出力装置１２０によって受信されたデータが第３のデータであると判別された場合、画像出力装置１２０が受信したデータに代理応答する（ステップＳ７０３〜Ｓ７０５）。画像出力装置１２０は電力が供給されなくても代理応答することができるため、画像出力装置１２０に電力を供給してまで応答する必要がない第３のデータに対して画像出力装置１２０が省電力状態５０４を維持したまま対応することができ、もって情報処理装置１０１の消費電力を抑制することができる。
【００５５】
図８は、図６の第１の電力供給処理の変形例の手順を示すフローチャートである。図８の処理では、受信したデータの種別が第２のデータ、第３のデータ、又は第４のデータのいずれに該当するかを１回のステップで判断する点で図７の処理と異なる。なお、図８のステップＳ６０１〜Ｓ６０８，Ｓ６１０〜Ｓ６１１，Ｓ６１４〜Ｓ６１５の処理は図６のステップＳ６０１〜Ｓ６０８，Ｓ６１０〜Ｓ６１１，Ｓ６１４〜Ｓ６１５の処理と同一であり、以下において、図６の処理と異なる点のみ説明する。
【００５６】
図８の処理では、ステップＳ６０７の判別の結果、画像処理装置１１０が省電力状態５０４のとき、画像処理装置１１０の電力状態を通常状態５０２に切り替え（ステップＳ６０８）、画像出力装置１２０のＣＰＵ２１１が受信したデータの種別を判別する（ステップＳ８０１）。ステップＳ６０７の判別の結果、画像処理装置１１０が省電力状態５０４でないとき、ステップＳ６０８をスキップしてステップＳ８０１に進む。
【００５７】
ステップＳ８０１の判別の結果、受信したデータの種別が第２のデータのとき、ステップＳ６１０に進み、以後のステップを実行してステップＳ６１４に進む。受信したデータの種別が第３のデータのとき、受信したデータを画像出力装置１２０に送信し（ステップＳ８０２）、画像出力装置１２０が省電力状態５０４のとき、電源制御部２１５はＡＣ電源４０６から画像出力装置１２０に供給される電力を制御して画像出力装置１２０の省電力状態５０４を維持し、画像出力装置１２０は受信したデータに代理応答し、画像出力装置１２０が省電力状態５０４でないとき、電源制御部２１５はＡＣ電源４０６から画像出力装置１２０に供給される電力を制御して画像出力装置１２０の通常状態５０２を維持し、画像出力装置１２０は受信したデータに応答し（ステップＳ８０３）、ステップＳ６１４に進む。受信したデータの種別が第４のデータのとき、受信したデータを画像出力装置１２０に送信し（ステップＳ８０４）、画像出力装置１２０の電力状態が省電力状態５０４の場合、画像出力装置１２０の電力状態を通常状態５０２に遷移させ、画像出力装置１２０の電力状態が通常状態５０２の場合、画像出力装置１２０の電力状態を維持し、通常状態５０２の画像出力装置１２０がデータ処理を終了したか否かを判別する（ステップＳ８０５）。ステップＳ８０５の判別の結果、データ処理が終了していないとき、ステップＳ８０５に戻り、データ処理が終了したとき、ステップＳ６１４に進む。
【００５８】
図８の処理によれば、画像処理装置１１０のＣＰＵ２０１は、受信したデータの種別が第２のデータであるか否かだけでなく、第３のデータであるか否か、さらには第４のデータであるか否かも判別する（ステップＳ８０１）ので、受信したデータが第３のデータ又は第４のデータであっても、画像出力装置１２０のＣＰＵ２１１は受信したデータの種別を判別する必要がなく、直ちにデータに代理応答し、又はデータ処理を実行することができる。これにより、データの処理の迅速化を実現できるとともに、画像出力装置１２０の負荷を軽減することができる。
【００５９】
図９は、図２におけるＬＡＮ１１１の通信速度を設定する設定処理の手順を示すフローチャートである。図９の処理は、ＣＰＵ２１１によって実行される。
【００６０】
まず、画像出力装置１２０の電力状態が通常状態５０２から省電力状態５０４に切り替えられるか否かを判別する（ステップＳ９０１）。ステップＳ９０１の判別の結果、省電力状態５０４に切り替えられないとき、ステップＳ９０１に戻り、省電力状態５０４に切り替えられるとき、ＬＡＮ１１１の通信速度を設定し直す（ステップＳ９０２）、画像出力装置１２０の電力状態を通常状態５０２から省電力状態５０４に切り替えて（ステップＳ９０３）、本処理を終了する。なお、ＬＡＮ１１１の通信速度が高いほど画像出力装置１２０の消費電力は大きくなる。
【００６１】
図９の処理によれば、画像出力装置１２０の電力状態が通常状態５０２から省電力状態５０４に切り替えられるときにＬＡＮ１１１の通信速度が設定し直される（ステップＳ９０１〜Ｓ９０２）ので、省電力状態５０４の画像出力装置１２０が画像処理装置１１０から送信されたデータに対して代理応答する際のＬＡＮ１１１の通信速度に適切な通信速度を設定できる。これにより、ＬＡＮ１１１の通信速度に異様に高い通信速度が設定されていることを回避でき、もって情報処理装置１０１の消費電力を抑制することができる。
【００６２】
図１０は、図８の第１の電力供給処理の変形例の手順を示すフローチャートである。
【００６３】
図１０のステップＳ６０１〜Ｓ６０８，Ｓ６１０〜Ｓ６１１，Ｓ６１４〜Ｓ６１５，Ｓ８０１〜Ｓ８０５の処理は図８のステップＳ６０１〜Ｓ６０８，Ｓ６１０〜Ｓ６１１，Ｓ６１４〜Ｓ６１５，Ｓ８０１〜Ｓ８０５の処理と同一であり、以下において、図８の処理と異なる点のみ説明する。
【００６４】
図１０の処理では、ステップＳ８０１の判別の結果、画像処理装置１１０が受信したデータの種別が第４のデータのとき、画像処理装置１１０が受信したデータを画像出力装置１２０に送信する際のＬＡＮ１１１の通信速度が最適であるか否かを判別する（ステップＳ１００１）。なお、最適なＬＡＮ１１１の通信速度とは、画像処理装置１１０及び画像出力装置１２０の間で通信障害が発生することのない通信速度のうち最低の通信速度である。ステップＳ１００１の判別の結果、通信速度が最適であるとき、ステップＳ８０４に進み、通信速度が最適でないとき、通信速度を変更して（ステップＳ１００２）、ステップＳ８０４に進む。
【００６５】
なお、画像処理装置１１０が画像出力装置１２０にデータを送信するときのＬＡＮ１１１の通信速度は、画像処理装置１１０が画像出力装置１２０にデータを送信しないときの通信速度よりも高いことが好ましい。これにより、画像処理装置１１０はデータを画像出力装置１２０に円滑に送信でき、且つ、画像処理装置１１０が画像出力装置１２０にデータを送信しないときのＬＡＮ１１１に要する消費電力を抑制することができる。
【００６６】
図１１は、画像出力装置１２０のＣＰＵ２１１によって実行される第３の電力供給処理の手順を示すフローチャートである。図１１の処理は、画像出力装置１２０が画像処理装置１１０からデータを受信し、且つ画像出力装置１２０が受信したデータを省電力状態５０４の画像処理装置１１０に送信するときに実行される。
【００６７】
図１１において、まず、データを受信した画像出力装置１２０の電力状態が通常状態５０２であるか否かを判別する（ステップＳ１１０１）。ステップＳ１１０１の判別の結果、画像出力装置１２０の電力状態が通常状態５０２でないとき、ステップＳ１１０１に戻り、画像出力装置１２０の電力状態が通常状態５０２のとき、受信したデータが画像処理装置１１０及び画像出力装置１２０のいずれかにおいて処理されるべきかを解析し（処理方法の解析）（ステップＳ１１０２）、受信したデータが画像処理装置１１０において処理されるべきか否かを判別する（ステップＳ１１０３）。
【００６８】
ステップＳ１１０３の判別の結果、受信したデータが画像処理装置１１０において処理されるべきでないと解析されたとき、画像出力装置１２０がデータ処理を実行して（ステップＳ１１０４）、本処理を終了する。ステップＳ１１０３の判別の結果、受信したデータが画像処理装置１１０において処理されるべきと解析されたとき、画像処理装置１１０に送信するデータを解析し（ステップＳ１１０５）、送信するデータの種別、具体的には、送信するデータの種別が画像処理装置１１０に電力を供給する必要がない第５のデータであるか、又は画像処理装置１１０に電力を供給する必要がある第６のデータであるかを判別する（ステップＳ１１０６）。
【００６９】
ステップＳ１１０６の判別の結果、送信するデータの種別が第５のデータのとき、データを画像処理装置１１０に送信し（Ｓ１１０７）、画像処理装置１１０が省電力状態５０４のとき、電源制御部２０７はＡＣ電源３０６から画像処理装置１１０に供給される電力を制御して画像処理装置１１０の省電力状態５０４を維持し、画像処理装置１１０は受信したデータに代理応答し（ステップＳ１１０８）、画像出力装置１２０の電力状態を通常状態５０２から省電力状態５０４に切り替えて（ステップＳ１１０９）、本処理を終了する。
【００７０】
ステップＳ１１０６の判別の結果、送信するデータの種別が第６のデータのとき、ＬＡＮ１１１の通信速度が最適であるか否かを判別する（ステップＳ１１１０）。ステップＳ１１１０の判別の結果、通信速度が最適でないとき、通信速度を変更して（ステップＳ１１１１）、画像処理装置１１０にデータを送信し（ステップＳ１１１２）、通信速度が最適のとき、ステップＳ１１１２に進む。
【００７１】
なお、画像出力装置１２０が画像処理装置１１０に処理したデータを送信するときのＬＡＮ１１１の通信速度は、画像出力装置１２０が画像処理装置１１０に処理したデータを送信しないときの通信速度よりも高いことが好ましい。これにより、画像出力装置１２０は処理されたデータを画像処理装置１１０に円滑に送信でき、且つ、画像出力装置１２０が画像処理装置１１０にデータを送信しないときのＬＡＮ１１１に要する消費電力を抑制することができる。
【００７２】
次に、画像処理装置１１０においてデータ処理が終了したか否かを判別する（ステップＳ１１１３）。ステップＳ１１１３の判別の結果、データ処理が終了したとき、ステップＳ１１０９に進み、データ処理が終了していないとき、ステップＳ１１１３に戻る。
【００７３】
図１２は、図１１のステップＳ１１０７又はステップＳ１１１２において送信されたデータを受信する受信処理の手順を示すフローチャートである。図１２の処理はＣＰＵ２０１によって実行され、省電力状態５０４の画像処理装置１１０が画像出力装置１２０からデータを受信したときに実行される。
【００７４】
図１２において、まず、画像出力装置１２０からデータを受信し（ステップＳ１２０１）、受信したデータの種別を解析し（ステップＳ１２０２）、受信したデータの種別を判別する（ステップＳ１２０３）。ステップＳ１２０３の判別の結果、受信したデータの種別が第５のデータのとき、電源制御部２０７はＡＣ電源３０６から画像処理装置１１０に供給される電力を制御して画像処理装置１１０の省電力状態５０４を維持し、画像処理装置１１０は受信したデータに代理応答し（ステップＳ１２０４）、本処理を終了する。ステップＳ１２０３の判別の結果、受信したデータの種別が第６のデータのとき、電源制御部２０７はＡＣ電源３０６から画像処理装置１１０に供給される電力を制御し、画像処理装置１１０に電力を供給して画像処理装置１１０の電力状態を通常状態５０２とし（ステップＳ１２０５）、受信したデータのデータ処理を実行し（ステップＳ１２０６）、データ処理が終了したか否かを判別する（ステップＳ１２０７）。
【００７５】
ステップＳ１２０７の判別の結果、データ処理が終了していないとき、ステップＳ１２０７に戻り、データ処理が終了したとき、データ処理の終了を画像出力装置１２０に通知し（ステップＳ１２０８）、電源制御部２０７はＡＣ電源３０６から画像処理装置１１０に供給される電力を制御し、画像処理装置１１０の電力状態を通常状態５０２から省電力状態５０４に切り替えて（ステップＳ１２０９）、本処理を終了する。
【００７６】
図１１及び図１２の処理によれば、画像出力装置１２０が受信したデータを省電力状態５０４の画像処理装置１１０に送信する場合において（ステップＳ１１０７，１１１２）、画像出力装置１２０が受信したデータが第５のデータであるとき、電源制御部２０７はＡＣ電源３０６から画像処理装置１１０に供給される電力を制御して画像処理装置１１０の省電力状態５０４を維持し（ステップＳ１２０４）、画像出力装置１２０が受信したデータが第６のデータであるとき、電源制御部２０７はＡＣ電源３０６から画像処理装置１１０に供給される電力を制御して画像処理装置１１０の電力状態を通常状態５０２に切り替える（ステップＳ１２０５）。すなわち、受信されたデータに基づいて画像処理装置１１０への電力の供給が制御されるので、省電力状態にある画像処理装置１１０がデータを取得したとき、画像処理装置１１０に必ず電力が供給されることを回避し、もって情報処理装置の消費電力を抑制することができる。
【００７７】
また、画像処理装置１１０によって受信されたデータが第５のデータであると判別された場合、画像処理装置１１０が受信したデータに代理応答する（ステップＳ１２０４）。画像処理装置１１０に電力が供給されなくても画像処理装置１１０は受信したデータに代理応答することができるため、画像処理装置１１０に電力を供給してまで応答する必要がない第５のデータに対して画像処理装置１１０が省電力状態を維持したまま対応することができ、もって情報処理装置の消費電力を抑制することができる。
【００７８】
さらに、画像出力装置１２０が画像処理装置１１０に処理したデータを送信するときの画像処理装置１１０及び画像出力装置１２０の間の通信速度は、画像出力装置１２０が画像処理装置１１０に処理したデータを送信しないときの通信速度よりも高い（ステップＳ１１１０〜Ｓ１１１２）ので、画像出力装置１２０は処理されたデータを画像処理装置１１０に円滑に送信できる。
【００７９】
また、上述した実施の形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムを読み出して実行する処理において、そのプログラム、及び該プログラムを格納するコンピュータ読み取り可能な記憶媒体は本発明を構成する。
【符号の説明】
【００８０】
１０１  情報処理装置
１１０  画像処理装置
１２０  画像出力装置
２０１，２１１  ＣＰＵ
２０７，２１５  電源制御部
５０２  通常状態
５０４  省電力状態
【図１】
0006478503.tif 000002
【図２】
0006478503.tif 000003
【図３】
0006478503.tif 000004
【図４】
0006478503.tif 000005
【図５】
0006478503.tif 000006
【図６】
0006478503.tif 000007
【図７】
0006478503.tif 000008
【図８】
0006478503.tif 000009
【図９】
0006478503.tif 000010
【図１０】
0006478503.tif 000011
【図１１】
0006478503.tif 000012
【図１２】
0006478503.tif 000013